(57)【要約】【課題】外装パネルの一部を構成する装着部材に互いに機能が関連する電子部品を実装した基板を装着部材の一部に保持させ、装着部材と電子部品との位置関係の調整を不要にして組立作業の簡略化、及び性能の一定化を実現する。【解決手段】表側パネルケース１０の装着部１２に着脱自在に装着されるフィルタ２に保持部２１、保持部２２、当接部２３を形成し、表側パネルケース１０内の挿入部１２の近傍に支持部１３を形成した。フィルタ２で選択的に透過された赤外光を受光する受光素子３を実装したサブ基板１を、保持部２１と保持部２２とで面方向に挟持されるようにフィルタ２に保持させる。サブ基板１を保持したフィルタ２を挿入部１２に装着すると、サブ基板１が当接部２３と支持部１３とで厚さ方向に挟持される。【選択図】図２
2010050278.tif 000002
【特許請求の範囲】
【請求項１】
表面を構成する外装部材と、
前記外装部材の一部に着脱自在に装着される装着部材と、
前記装着部材と関連した機能を有する電子部品と、
前記電子部品を実装する基板と、を備え、
前記装着部材に、前記電子部品が前記装着部材に対する所定の位置に位置する状態で前記基板を保持する保持部を設けた電気装置。
【請求項２】
前記外装部材に、前記基板を保持した前記装着部材が所定の挿入方向に沿って挿入される挿入部を備えた請求項１に記載の電気装置。
【請求項３】
前記保持部は、前記基板の第１の面に前記挿入方向に沿って上流側から当接する当接部を備え、
前記外装部材は、前記基板の第２の面に前記挿入方向に沿って下流側から当接する支持部を備えた請求項２に記載の電気装置。
【請求項４】
前記装着部材は、前記挿入方向に直交する方向における複数の箇所に前記保持部を備えた請求項１乃至３の何れかに記載の電気装置。
【発明の詳細な説明】
【技術分野】
【０００１】
本発明は、外装パネルの一部を構成する赤外光用のフィルタ等の部材に、この部材と機能が関連する電子部品を実装した基板を保持させるようにした電気装置に関する。
【背景技術】
【０００２】
電気装置には、リモートコントローラ等の外部装置から照射された赤外光を受光する受光素子を備えたものがある。このような電気装置の外装パネルの一部には、赤外光のみを通過させるフィルタが備えられる（例えば、特許文献１参照。）。フィルタは、外装パネルの一部を構成し、受光素子と互いに関連した機能を発揮する。
【０００３】
フィルタの内側には、機能がフィルタに関連する電子部品として回路基板に実装された受光素子が対向する。受光素子を実装した回路基板は、電気装置の機能に応じた他の電子部品が実装される。例えば、家庭用ファクシミリ装置では、操作キーやディスプレイ等の機器に接続された制御回路を構成する電子部品が、回路基板上に受光素子とともに実装される。
【特許文献１】特開２００６−９４２３３号公報
【発明の開示】
【発明が解決しようとする課題】
【０００４】
しかし、従来の電気装置では、互いに機能が関連した部材と電子部品とについて、電子部品を実装した基板を、部材が一部を構成する外装パネルに、部材とは独立して取り付けていた。このため、部材と電子部品との位置関係の調整が煩雑で、組立作業が煩雑化するとともに、電気装置の性能を一定に維持できない問題がある。このような問題は、赤外光用のフィルタと受光素子とに限らず、ルーバと湿度センサ等の他の部材と電子部品とにおいても生じる。
【０００５】
この発明の目的は、外装パネルの一部を構成する部材に互いに機能が関連する電子部品を実装した基板を部材の一部に保持させることで、部材と電子部品との位置関係の調整を不要にして組立作業の簡略化、及び性能の一定化を実現できる電気装置を提供することにある。
【課題を解決するための手段】
【０００６】
この発明の電気装置は、外装部材、装着部材、電子部品、及び基板を備えている。外装部材は、電気装置の表面を構成する。装着部材は、例えば赤外光用フィルタであって、外装部材の一部に着脱自在に装着されて前記外装部材の一部を構成する。電子部品は、例えば受光素子であって、装着部材と関連した機能を有する。基板は、電子部品を実装する。装着部材には、電子部品が装着部材に対する所定の位置に位置する状態で基板を保持する保持部が設けられている。
【０００７】
この構成では、電子部品を実装した基板をその電子部品と互いに機能が関連する装着部材に保持させた後、装着部材を外装部材に装着させることで、電子部品と装着部材との所定の位置関係が維持される。
【０００８】
この構成において、外装部材に基板を保持した装着部材が所定の挿入方向に沿って挿入される挿入部を備えることで、電子部品と装着部材との所定の位置関係を維持しつつ、装着部材を外装部材に容易に装着することができる。
【０００９】
また、保持部には基板の第１の面に外装部材に対する装着部材の挿入方向に沿って上流側から当接する当接部を備え、外装部材には基板の第２の面に外装部材に対する装着部材の挿入方向に沿って下流側から当接する支持部を備えることが好ましい。これによって、外装部材に装着部材を装着した時に、基板を当接部と支持部との間に挟持することができ、装置内部で基板を確実に固定できる。
【００１０】
さらに、装着部材には、挿入方向に直交する方向における複数の箇所に保持部を備えることが好ましい。これによって、装着部材における基板の維持状態をより確実にすることができる。
【発明の効果】
【００１１】
この発明によれば、外装パネルの一部を構成する部材に互いに機能が関連する電子部品を実装した基板を部材の一部に保持させることができ、部材と電子部品との位置関係の調整を不要にして組立作業の簡略化、及び性能の一定化を実現できる。
【発明を実施するための最良の形態】
【００１２】
以下、本発明の最良の実施形態に係る画像形成装置を、図面を参照にしつつ詳細に説明する。
【００１３】
図１は、この発明の第１の実施形態に係る電気装置の一例である操作パネルユニットの側面の部分断面図である。
【００１４】
操作パネルユニット１００は、一例としてファクシミリ装置２００の上面の前部側に配置されている。操作パネルユニット１００は、表側パネルケース１０と裏側パネルケース２０とで外表面を構成しており、内部に複数のキー１０１や図示しないディスプレイとともに、メイン基板１０２、サブ基板１を収納している。
【００１５】
表側パネルケース１０は、この発明の外装部材であり、遮光性の硬質樹脂を素材として底面が全面にわたって開放した薄型筐体を呈している。裏側パネルケース２０は、遮光性の硬質樹脂を素材として上面が全面にわたって開放した薄型筐体を呈している。表側パネルケース１０の底面を裏側パネルケース２０の上面に対向させた状態で、表側パネルケース１０と裏側パネルケース２０とを一体的に固定することで、中空筐体を構成する。
【００１６】
表側パネルケース１０には、複数の孔部１１が形成されている。複数の孔部１１のそれぞれから複数のキー１０１のそれぞれが、操作パネルユニット１００の外部に露出する。複数のキー１０１は、制御部を構成する図示しない電子部品とともにメイン基板１０２に実装されている。
【００１７】
メイン基板１０２は、操作パネルユニット１００の内部で表側パネルケース１０の表面に略平行に配置されている。サブ基板１は、この発明の基板であり、操作パネルユニット１００の内部におけるメイン基板１０２の下方で前端側に略水平にして配置されている。サブ基板１の前端部には、一例として赤外光を受光する受光素子３が実装されている。受光素子３は、この発明の電子部品であり、赤外光を受光する機能を有する点で、赤外光のみを透過するフィルタ２と機能的に関連している。サブ基板１に実装されている受光素子３を含む電子部品は、図示しないコネクタ及びケーブルを介してメイン基板１０２の電子部品に接続されている。
【００１８】
表側パネルケース１０の前端部には、フィルタ２が装着されている。フィルタ２は、この発明の装着部材であり、表側パネルケース１０の一部を構成している。フィルタ２は、一例として赤外光のみを透過する偏光フィルタである。サブ基板１は、受光素子３がフィルタ２の内側面に対向して近接する位置に配置されている。操作パネルユニット１００の外部における外部光のうち、フィルタ２に向けて照射された赤外光のみが、フィルタ２を通過した受光素子３に受光される。
【００１９】
図２は、上記操作パネルユニットの底面側から見た分解図である。操作パネルユニット１００の表側パネルケース１０には、メイン基板１０２が収納されている。表側パネルケース１０の周縁部の一部には、挿入部１２が形成されている。挿入部１２は、フィルタ２の一方の面と略同一形状の切欠きで構成されている。表側パネルケース１０の内部における挿入部１２の近傍には、２個所に支持部１３が形成されている。
【００２０】
フィルタ２は、挿入部１２に表側パネルケース１０の底面側から挿入される。フィルタ２には、保持部２１，２２及び当接部２３が形成されている。サブ基板１は、保持部２１と保持部２２との間にサブ基板１の面方向に挟持され、かつ底面（この発明の第１の面である。）を当接部２３に当接させてフィルタ２に保持される。
【００２１】
フィルタ２は、サブ基板１を保持した状態で、挿入部１２に挿入される。フィルタ２を挿入部１２に挿入すると、サブ基板１の上面（この発明の第２の面である。）に支持部１３が当接する。サブ基板１は、当接部２３と支持部１３とに厚さ方向に挟持される。
【００２２】
したがって、フィルタ２を挿入部１２に挿入した状態で、サブ基板１は、保持部２１と保持部２２とによって面方向に挟持されるとともに、当接部２３と支持部１３とによって厚さ方向に挟持され、フィルタ２における保持位置を確実に固定される。サブ基板１に実装された受光素子３とフィルタ２との位置関係は、フィルタ２自体によって確実に維持され、操作パネルユニット１００の組立作業時に受光素子３とフィルタ２との位置関係を調整する必要がない。操作パネルユニット１００の組立作業の簡略化、及び性能の一定化を実現することができる。
【００２３】
図３（Ａ）及び（Ｂ）は、上記操作パネルユニットのサブ基板を保持したフィルタの底面側及び表面側から見た斜視図である。
【００２４】
保持部２２は、フィルタ２における挿入部１２と略同一形状の側面の内側の２個所から延出している。当接部２３は、一方の保持部２２の下部に片持ち支持されている。保持部２１は、当接部２３の自由端に形成されている。
【００２５】
フィルタ２は２つの保持部２２、単一の保持部２１及び単一の当接部２３を備えており、これらの間にサブ基板１を挿入することで、サブ基板１がフィルタ２に保持される。保持部２１及び当接部２３は、サブ基板１の長手方向における一端部のみに接触するため、保持部２１、保持部２２及び当接部２３の間にサブ基板１を挿入する際に、サブ基板１の姿勢の自由度が大きい。このため、サブ基板１をフィルタ２に保持させる作業を容易に行うことができる。また、保持部２２は、サブ基板１の長手方向の２個所に接触するため、フィルタ２は比較的安定した状態でサブ基板１を保持することができる。
【００２６】
図４（Ａ）及び（Ｂ）は、この発明の第２の実施形態に係る操作パネルユニットのサブ基板を保持したフィルタの底面側及び表面側から見た斜視図である。
【００２７】
フィルタ１０２は保持部２１、保持部２２及び当接部２３をそれぞれ２つずつ備えている。保持部２１、保持部２２及び当接部２３のそれぞれは、フィルタ２と同様に形成されている。即ち、保持部２２は、フィルタ１０２における挿入部１２と略同一形状の側面の内側の２個所から延出している。当接部２３は、各保持部２２の下部に片持ち支持されている。保持部２１は、各当接部２３の自由端に形成されている。
【００２８】
２つずつの保持部２１、保持部２２及び当接部２３の間にサブ基板１を挿入することで、サブ基板１がフィルタ１０２に保持される。保持部２１及び当接部２３は、サブ基板１の長手方向における２個所に接触するため、フィルタ１０２はより安定した状態でサブ基板１を保持することができる。この場合には、表側パネルケース１０の支持部１３を省略することもできる。
【００２９】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【００３０】
例えば、この発明は、操作パネルユニットのみに限って適用できるものではなく、外装部材の一部を構成する装着部材と互いに関連した機能を有する電子部品を備えた他の電気装置に同様に適用できる。また、この発明は、フィルタ２及び受光素子３に限って適用できるものではなく、互いに関連した機能を有すること、及び装着部材が外装部材の一部を構成するように外装部材に着脱自在にされていることを条件に、例えばルーバと湿度センサ等の他の装着部材と電子部品との組み合わせにも適用できる。
【図面の簡単な説明】
【００３１】
【図１】この発明の第１の実施形態に係る電気装置の一例である操作パネルユニットの側面の部分断面図である。
【図２】上記操作パネルユニットの底面側から見た分解図である。
【図３】（Ａ）及び（Ｂ）は、上記操作パネルユニットのサブ基板を保持したフィルタの底面側及び表面側から見た斜視図である。
【図４】（Ａ）及び（Ｂ）は、この発明の第２の実施形態に係る操作パネルユニットのサブ基板を保持したフィルタの底面側及び表面側から見た斜視図である。
【符号の説明】
【００３２】
１−サブ基板
２−フィルタ（装着部材）
３−受光素子（電子部品）
１０−表側パネルケース（外装部材）
１２−挿入部
１３−支持部
２１，２２−保持部
２３−当接部
１００−操作パネルユニット
【図１】
2010050278.tif 000003
【図２】
2010050278.tif 000004
【図３】
2010050278.tif 000005
【図４】
2010050278.tif 000006